(57)【要約】【課題】搬送時などにおいて前後移動可能に構成された画像表示装置のガタツキによる故障発生を防止することができる遊技機を提供する。【解決手段】センター飾り５０に設けられ、開口部５６を通して画面を露出させるように開口部５６に対向位置させるとともに開口部５６に対して前後移動可能に液晶表示装置６０を支持する液晶駆動機構と、液晶表示装置６０をロック保持して液晶表示装置６０の前後移動を規制するロック位置と規制を解除するロック解除位置との間で移動自在に設けられたロック部材１３４，１４４を有するロック機構１３０，１４０とを備え、ロック機構１３０，１４０は、遊技機の電源が遮断されたときはロック部材１３４，１４４をロック位置に移動し、遊技機の電源が投入されているときにはロック部材１３４，１４４をロック解除位置に移動する。【選択図】図１４
2010099298.tif 000002
【特許請求の範囲】
【請求項１】
中央に前後方向に開口した開口部を有するベース部材と遊技の展開状態に応じた画像を画面に表示する画像表示装置とを備え、外部電源を用いて所定の作動を行うように構成された遊技機において、
前記ベース部材に設けられ、前記開口部を通して前記画面を露出させるように前記開口部に対向位置させるとともに前記開口部に対して前後移動可能に前記画像表示装置を支持する移動装置と、
前記画像表示装置をロック保持して前記画像表示装置の前後移動を規制するロック位置と前記規制を解除するロック解除位置との間で移動自在に設けられたロック部材を有するロック機構とを備え、
前記ロック機構は、前記遊技機の電源が遮断されたときは前記ロック部材を前記ロック位置に移動し、前記遊技機の電源が投入されているときには前記ロック部材を前記ロック解除位置に移動することを特徴とする遊技機。
【請求項２】
前記ロック機構は、非通電状態で前記ロック部材を前記ロック位置に移動し、通電状態で前記ロック部材を前記ロック解除位置に移動するように作動するアクチュエータを有し、
前記アクチュエータによる前記ロック部材の動作に基づいて前記画像表示装置の前面側において進退動する可動部材を更に備えて構成されることを特徴とする請求項１に記載の遊技機。
【発明の詳細な説明】
【技術分野】
【０００１】
本発明は、パチンコ機等の遊技機に関し、詳しくは、遊技展開に応じた画像を表示させる液晶表示装置等の画像表示装置を備えた遊技機に関する。
【背景技術】
【０００２】
上記のような遊技機の代表例であるパチンコ機には、前面に遊技領域を形成する遊技盤を立設姿勢で収容保持した前枠に、前背面に遊技球の処理経路を一体に設けるとともに、背面に各種制御基板が取り付けられる裏セット盤を背面から取り付けて構成され、発射装置により遊技領域上部に導いた遊技球を落下させる過程で遊技領域内に設けた入賞装置に入賞させる遊技を行うように構成されている。遊技盤における遊技領域内には、多数の遊技釘、入賞装置等が取り付けられるとともに、略中央部にセンター飾りが取り付けられており、このセンター飾りに形成した開口部内に遊技展開に応じた図柄等を表示させて遊技性を高めるための画像表示装置がその表示画面を前面に臨ませて配設されている。
【０００３】
ところで、上記のような画像表示装置では、抽選対象となる図柄の変化状態や、遊技に関する内容を示す動画などの演出表示は２次元（平面的）表示が主体であるために、立体感に乏しく視覚的な印象が単純であることは否めない。そのため、このような画像表示装置において表示画面の大画面化により演出効果を向上させるだけではなく、立体感により遊技者に強いインパクトを提供することが望まれている。
【０００４】
そこで、センター飾りに画像表示装置を前後方向に往復移動可能にする駆動機構を配設し、画像表示装置を表示画面に表示される演出表示内容に合わせて前後移動させることにより、表示画面に対し立体感のある印象を遊技者に付与することで、視覚的な遊技演出の効果を向上させるようにしたパチンコ機が知られている（例えば、特許文献１を参照）。
【特許文献１】特開２００６−１８０９４１号公報
【発明の開示】
【発明が解決しようとする課題】
【０００５】
近年、液晶表示装置（液晶表示パネル）の低コスト化が進み、上記のような画像表示装置としても省スペース化や省電力化等のため、ＣＲＴ表示装置等に代わって液晶表示装置が広く用いられるようになっている。これに対して、液晶表示装置は外力の印加による衝撃等によって非常に壊れやすいという側面を有している。このため、液晶表示装置を上記のように前後移動可能に構成した場合、パチンコ機を製造元の生産工場から遊技施設にまで搬送する際や、パチンコ機を遊技施設の遊技島に設置する際に、パチンコ機の姿勢の変動等により液晶表示装置が自重で前後に動いてしまうおそれがあり、液晶表示装置がガタツキによる衝撃等を受けて故障を引き起こしやすいという問題がある。なお、これに対して、液晶表示装置を固定するため、従来から行われているような可動物の固定方法、例えば、固定テープ（粘着テープ等）で貼り付けたり、磁石を用いて固定した場合には、液晶画面を傷付けるおそれや、その磁気の影響により液晶表示の歪みや乱れを引き起こす原因となるため、結果的に液晶表示装置の故障を誘発することにもなりかねない。
【０００６】
本発明は、このような課題に鑑みてなされたものであり、搬送時などにおいて前後移動可能に構成された画像表示装置のガタツキによる故障発生を防止することができる遊技機を提供することを目的とする。
【課題を解決するための手段】
【０００７】
このような目的達成のために、本発明に係る遊技機（例えば、実施形態におけるパチンコ機ＰＭ）は、中央に前後方向に開口した開口部を有するベース部材（例えば、実施形態におけるセンター飾り５０）と遊技の展開状態に応じた画像を画面に表示する画像表示装置（例えば、実施形態における液晶表示装置６０）とを備え、外部電源を用いて所定の作動を行うように構成された遊技機において、ベース部材に設けられ開口部を通して画面を露出させるように開口部に対向位置させるとともに開口部に対して前後移動可能に画像表示装置を支持する移動装置（例えば、実施形態における液晶駆動機構７０）と、画像表示装置をロック保持して画像表示装置の前後移動を規制するロック位置と規制を解除するロック解除位置との間で移動自在に設けられたロック部材（例えば、実施形態におけるロックピン１３４）を有するロック機構とを備え、ロック機構は、遊技機の電源が遮断されたときはロック部材をロック位置に移動し、遊技機の電源が投入されているときにはロック部材をロック解除位置に移動するように構成される。
【０００８】
また、上述の発明において、ロック機構は非通電状態でロック部材をロック位置に移動し通電状態でロック部材をロック解除位置に移動するように作動するアクチュエータ（例えば、実施形態におけるソレノイド１３１）を有し、アクチュエータによるロック部材の動作に基づいて画像表示装置の前面側において進退動する可動部材（例えば、実施形態における立体構造物１０１）を更に備えて構成されることが好ましい。
【発明の効果】
【０００９】
本発明に係る遊技機によれば、前後移動可能に構成される画像表示装置を係脱自在にロック保持することができるため、当該遊技機の姿勢変動時における画像表示装置のガタツキを防止することができる。より具体的には、遊技機が生産工場から遊技施設にまで搬送されて遊技島に設置されるまでの遊技機の電源が遮断されている間は、ロック機構により画像表示装置がロック保持されるため、搬送などの際に遊技機の姿勢が大きく変動するようなことがあっても、画像表示装置が自重等で大きく動いてしまうことがなく、画像表示装置がガタツキによる衝撃を受けて損傷を受けるような事態が防止される。一方、遊技機が遊技島に設置され電源が投入されることで遊技者による遊技に供されているときには、ロック機構による画像表示装置のロック保持が解除されるため、画像表示装置を移動装置の作動により前後移動可能な状態にすることができ、所望の遊技演出を行うことが可能になる。
【００１０】
また、ロック機構のアクチュエータの作動により可動部材を進退動させる構成とすることで、画像表示装置をロック保持するためのロック機構が、可動部材を進退動させるための駆動機構として機能する効果も有することで、可動部材の駆動機構を別途設ける必要がなくなり、遊技機における軽量化および省スペース化を図ることができる。
【発明を実施するための最良の形態】
【００１１】
以下、本発明の好ましい実施形態について図面を参照しながら説明する。本発明を適用した遊技機の代表例としてパチンコ機ＰＭの正面図および背面図を図１および図２に示すとともに、このパチンコ機ＰＭに装着される遊技盤１０の正面図を図３に示しており、まず、これらの図面を参照しながらパチンコ機ＰＭの全体構成について概要説明する。
【００１２】
パチンコ機ＰＭは、外郭方形枠サイズに構成されて縦向きの固定保持枠をなす外枠１の開口前面に、これに合わせた方形枠サイズに構成されて開閉搭載用の前枠２が互いの正面左側上下に設けられたヒンジ機構３ａ，３ｂを利用して前方に横開き開閉および着脱が可能に取り付けられ、正面右側に設けられたダブル錠と称される施錠装置４を利用して常には外枠１と係合連結された閉鎖状態に保持される。
【００１３】
前枠２の前面側上部には、前枠２の上部前面域に合わせた方形状のガラス扉５が正面左側に設けられた上下一対の扉ヒンジ機構を利用して前方に横開き開閉および着脱可能に組付けられ、施錠装置４により前枠２の前面上部を覆う閉鎖状態に保持される。ガラス扉５の中央部には遊技盤１０の遊技領域ＰＡに合わせた略円形の開口部が形成され、その背面側に所定間隔をおいて前後二枚の透明なガラス板からなるガラスアッセンブリ５ａが装着保持されている。
【００１４】
ガラス扉５の背後に位置する前枠２の上部には、方形枠状の収容枠（図示せず）が前枠２と一体に設けられており、この収容枠に遊技盤１０が着脱可能にセット保持され、常には閉鎖保持されるガラス扉５のガラスアッセンブリ５ａを通して遊技盤１０の遊技領域ＰＡなどを遊技者に臨ませるようになっている。
【００１５】
遊技盤１０は、板厚１９ｍｍ程度の積層合板を図示する所定形状に切断およびルータ加工して、その表面に所定意匠のセルを貼り付けた遊技板（ベニヤないし化粧板とも称される）１１を基板として構成されており、遊技板１１の略中央部には遊技板１１を表裏貫通する開口部１２が形成されている。また、この遊技板１１の前面側に内外の案内レール１３が円弧状に固設され、案内レール１３で囲まれた内側に上述の遊技領域ＰＡが区画されている。
【００１６】
遊技盤１０の遊技領域ＰＡには、多数本の遊技釘１４とともに、後に詳述するセンター飾り５０、ランプ風車や一般風車等の風車１５、一般入賞具や始動入賞具並びに大入賞口を備えたアタッカー等の入賞装置１６などが取り付けられ、遊技領域ＰＡの下端部には各入賞装置１６に落入することなく落下した遊技球を遊技板１１の背面側に排出するアウト口１７が形成されている。
【００１７】
前枠２の前面におけるガラス扉５の下側には、遊技球を貯留する上球皿６が取り付けられており、この上球皿６の下側には下球皿７および発射ハンドル８が取り付けられている。また、上球皿６に前面側が覆われた前枠２の下部領域には遊技補助盤（図示せず）と称される補助機構部が形成されており、この遊技補助盤には、遊技盤１０の遊技領域ＰＡ内に遊技球を発射する遊技球発射装置（図示せず）が設けられている。
【００１８】
前枠２の背面側には、図２に示すように、中央に前後連通する窓口を有して前枠２よりもやや小型の方形枠状に形成された裏セット盤３０が、前枠２の背面側に設けられた複数のレバーＬ，Ｌ…を利用して着脱可能にセット保持される。裏セット盤３０の各部には、遊技球を貯留する球貯留タンク３１、球貯留タンク３１から供給された遊技球を流下させる過程で前後２列に整列させるタンクレール３２、所定数量の遊技球を整列状態で待機させる待機通路３３、遊技盤１０における入賞状態等に基づいて遊技球を払い出す球払出装置３４、球払出装置３４から払い出された遊技球を上球皿６に導く球払出通路３５などの遊技球の処理機構が設けられている。また、裏セット盤３０には、電子部品等に電力を供給する電源ユニット３６、パチンコ機ＰＭの作動を統括的に制御する主制御基板３７、画像表示、効果音等の演出、効果ランプ等の表示制御を行うサブ制御基板３８などが装備されており、これらが図示省略するコネクタケーブルで接続され、パチンコ機ＰＭが作動可能に構成される。
【００１９】
パチンコ機ＰＭは、前枠２やガラス扉５等が閉鎖された状態で遊技に供され、上球皿６に遊技球を貯留させて発射ハンドル８を回動操作することにより遊技が開始される。発射ハンドル８が回動操作されると、上球皿６に貯留された遊技球は、上球皿６の背面側に位置する遊技球発射装置により１球ずつ遊技盤１０の遊技領域ＰＡに打ち出され、以降、パチンコゲームが展開される。
【００２０】
さて、このように概要構成されるパチンコ機ＰＭにあって、以下、センター飾り５０の構成について図４〜図１０の各図を参照しながら説明する。ここで、図４は遊技盤１０の分解斜視図、図５はセンター飾り５０の斜視図、図６はセンター飾り５０の背面図、図７は液晶表示装置の斜視図、図８は液晶表示装置の装着前におけるセンター飾り５０の斜視図、図９はセンター飾り５０の上部フレーム側の斜視図、図１０は図９における矢視Ｄから見た底面図である。なお、以降の説明においては、図４および図５の状態を基準にして前後左右、および、上下を定義する。
【００２１】
センター飾り５０は、収容ケース４０内に受容された状態で遊技板１１の背面側に取り付けられている。この収容ケース４０は、前面側にセンター飾り５０の外郭形状に合わせた受容開口を有して略矩形箱状に形成されている。収容ケース４０の前面側には、前方に突出する複数個の取付突起部４１（図５を参照）が形成されており、この取付突起部４１がネジ締結等により遊技板１１の背面側に対応位置して形成されたケース取付部（図示しない）に取り付けられることで、センター飾り５０が遊技板１１の背面部に固定される。センター飾り５０が遊技板１１に固定されると、遊技板１１の略中央部に形成された開口部１２を介して、遊技者が遊技盤１０の前面側からこのセンター飾り５０の前面側を目視可能になっている。
【００２２】
センター飾り５０は、図５に示すように、各機構の取り付けベースとなるフレーム本体５１と、このフレーム本体５１の略中央に位置する開口部５６から画面（画像表示画面）６３を露出させて画像を表示する正面視略矩形状の横長型の液晶表示装置６０と、液晶表示装置６０を前後方向に移動可能に支持する液晶駆動機構７０（図６参照）と、開口部５６の左側部に配置された第１可動演出装置８０と、開口部５６の右側部に配置された第２可動演出装置９０と、開口部５６の上縁部に配置された第３可動演出装置１００と、開口部５６の下縁部に配置された第４および第５可動演出装置１１０，１２０とを主体に構成される。なお、可動演出装置８０，９０，１００，１１０，１２０は、その外観および動作の態様によって液晶表示装置６０とともに遊技の演出に供する装置である。
【００２３】
フレーム本体５１は、液晶駆動機構７０や可動演出装置８０，９０，１００等が取り付けられる上部フレーム５１Ｕと、可動演出装置１１０，１２０等が取り付けられる下部フレーム５１Ｌとから構成されており、上部フレーム５１Ｕと下部フレーム５１Ｌとの間に液晶表示装置６０が液晶駆動機構７０の作動により前後移動可能なスペース、すなわち上記の開口部５６が区画される。また、フレーム本体５１の前面側には、その上部に左右に延びる略板形状の上部装飾板５２、左方部に上下に延びる略板形状の左部装飾板５３、および右方部に上下に延びる略板形状の右部装飾板５４などが設けられており、これら装飾板５２，５３，５４の表面には凹凸した岩石形状が形成されている。
【００２４】
液晶表示装置（画像表示装置）６０は、その画面６３に、不図示の特別図柄表示装置と連動して（すなわち、遊技の展開に応じて）変動表示する装飾図柄や、この装飾図柄の背景となる背景画像、大当たり当選の期待感を遊技者に与えるようにするためのキャラクタ画像等の付随画像などを表示する。液晶表示装置６０に表示される装飾図柄は、抽選の結果表示を視覚的に演出するための図柄であり、例えば、スロットマシンの図柄表示を模した複数列の変動図柄として画面６３の中央領域に表示される。
【００２５】
液晶表示装置６０は、図７に示すように、矩形枠形状のケース部材６１と、このケース部材６１内に収容され画面６３に画像を液晶表示する液晶表示パネル６２と、ケース部材６１内において液晶表示パネル６２の前面側で画面６３に密着するとともに画面６３の全体を覆う透明な平板状の保護パネル６４とを備えて構成される。なお、液晶表示パネル６２の背面側には、図示省略するが、液晶表示パネル６２を照明するバックライトや、このバックライトの電源装置であるインバータ基板、液晶表示パネル６２を駆動するためのドライバ回路基板などが設けられている。
【００２６】
ケース部材６１は、その前面側に液晶表示パネル６２の画面６３を露出させる正面視略矩形状の開口部６５を有しており、この開口部６５の周囲を囲むようにして前面側に装飾枠６６が貼り付けられている。また、ケース部材６１の上面部には上方に突出して略円筒状に形成された左右一対の上部ピン６７，６７が設けられるとともに、その下面部には下方に突出して略円筒状に形成された左右一対の下部ピン６８，６８が設けられている。
【００２７】
液晶表示パネル６２は、ケース部材６１の開口部６５の開口面域に合わせてこれよりも幾分大きめな表示領域を有するカラー液晶表示パネルが用いられる。保護パネル６４は、アクリル樹脂等を材質とする透明板を画面６３の大きさに合わせて所定の形状に形成したものである。
【００２８】
液晶駆動機構７０は、例えばステッピングモータ等の駆動モータ７１と、駆動モータ７１の出力軸に接続されて回転し駆動モータ７１の回転動力を伝達する回転作動部材７２と、回転作動部材７２に回動可能に接続されたリンク部材７４と、上部フレーム５１Ｕに固設され上面側に前後方向に延びる案内部７７が形成された案内レール部材７６と、リンク部材７４に接続され案内レール部材７６の案内部７７に沿って前後方向に摺動自在な被ガイド部材７９とが、上部フレーム５１Ｕに左右一対にそれぞれ設けられることで構成されている。なお、液晶駆動機構７０は、このようにほぼ左右対称に構成されているので、左側の駆動機構についてその構成を説明し、右側の駆動機構についての説明は省略する（重複説明を省略する）。
【００２９】
駆動モータ７１は、ネジ締結等によって上部フレーム５１Ｕに固設されており、正逆両方向の回転駆動をすることができるように構成されている。回転作動部材７２は、円盤状の形状を有し、その中心部が駆動モータ７１の出力軸に嵌挿固定されており、駆動モータ７１の回転駆動によって回動するようになっている。また、回転作動部材７２はその裏面側（下面側）に下方に突出する円柱状の突起部７３を有しており、この突起部７３が回転作動部材７２のほぼ直下位置に配設されたリンク部材７４の係合孔７５に挿入（係合）されることで、回転作動部材７２とリンク部材７４とが連結されている。
【００３０】
リンク部材７４は、細長い板状の形状を有しており、その中間部に長手方向に延びる係合孔（長孔）７５が形成されている。リンク部材７４は、その基端部が上下方向に延びた垂直支軸Ｐ１によって上部フレーム５１Ｕに軸支されており、この垂直支軸Ｐ１周りに回動自在に構成されている。そして、リンク部材７４の係合孔７５に回転作動部材７２の突起部７３が摺動自在に嵌挿されることによって、リンク部材７４が回転作動部材７２の突起部７３を介して駆動モータ７１の回転駆動を受けて垂直支軸Ｐ１周りに回動するようになっている。
【００３１】
案内レール部材７６は、前後方向に延びる略板状に形成され、上部フレーム５１Ｕの左右の端部に設けられている。案内レール部材７６は、その表面部（上面部）に上方に突出するとともに前後方向に延びる略板状の案内部７７を左右に一対有しており、その左右方向の中間部にはこれら左右一対の案内部７７に挟まれるようにして前後方向に延びるガイド孔（長孔）７８が形成されている。
【００３２】
リンク部材７４の先端部（基端部と反対側の端部）には、上下方向に延びた枢結ピン７４ａによって被ガイド部材７９が前後方向に揺動自在に枢結されている。この被ガイド部材７９は、平面視矩形状に形成され、その裏面部（下面部）には前後方向に延びる左右一対の係合溝７９ａを有しており、これら左右一対の係合溝７９ａの間には上下方向に貫通する挿通孔７９ｂが形成されている。そして、この被ガイド部材７９の係合溝７９ａに案内レール部材７６の案内部７７が嵌挿されることにより、被ガイド部材７９が案内部７７に沿って（前後方向以外の移動を規制しつつ）前後方向に移動可能（摺動可能）になっている。
【００３３】
このような液晶駆動機構７０における左側の駆動機構においては、回転作動部材７２の突起部７３を前方に移動させるように駆動モータ７１を回転駆動することにより、この突起部７３がリンク部材７４の係合孔７５の内側部に当接してリンク部材７４を前方に押動し、底面視においてリンク部材７４を垂直支軸Ｐ１を中心に反時計回りに回動させることで、左側の被ガイド部材７９が案内レール部材７６の案内部７７に沿って前方に移動する。反対に、回転作動部材７２の突起部７３を後方に移動させるように駆動モータ７１を回転駆動することにより、この突起部７３がリンク部材７４の係合孔７５の内側部に当接してリンク部材７４を後方に押動し、底面視においてリンク部材７４を垂直支軸Ｐ１を中心に時計回りに回動させることで、左側の被ガイド部材７９が案内レール部材７６の案内部７７に沿って後方に移動するようになっている。
【００３４】
このように構成される液晶駆動機構７０において、左右の被ガイド部材７９，７９が左右に位置対応する案内レール部材７６，７６にそれぞれ摺動自在に連結された状態で、液晶表示装置６０におけるケース部材６１の上面部に形成された左右一対の上部ピン６７，６７を、案内レール部材７６，７６のガイド孔７８，７８と被ガイド部材７９，７９の挿通孔７９ｂとにそれぞれ嵌挿させることによって、液晶表示装置６０がほぼ垂直に立設した状態で液晶駆動機構７０に取り付けられる。
【００３５】
また、液晶駆動機構７０は、液晶表示装置６０の前後移動に伴う倒れ防止のために、ケース部材６１における上部ピン６７と下部ピン６８とを連結支持する左右一対の連結機構８６（図６を参照）を有している。連結機構８６は、上部フレーム５１Ｕに回動自在に軸支されて上下方向に延びたロッド状の回動支軸８７と、一端部が回動支軸８７の上端部に嵌着固定され他端部がケース部材６１における上部ピン６７に回動自在に支持された上アーム部材８８と、一端部が回動支軸８７の下端部に嵌着固定され他端部がケース部材６１における下部ピン６８に回動自在に支持された下アーム部材８９とを備えて構成されており、この連結機構８６を介して上部ピン６７への前後の押動力を下部ピン６８にも伝達することにより、液晶駆動機構７０による前後移動に伴って液晶表示装置６０をほぼ垂直姿勢で前後移動するようにしている。
【００３６】
そして、液晶表示装置６０が液晶駆動機構７０に取り付けられて、液晶駆動機構７０を作動（駆動モータ７１を回転駆動）させると、液晶表示装置６０全体が前後方向に往復移動したり、回動したりすることになる。例えば、左右の被ガイド部材７９，７９を同時に後方向に移動させるように駆動モータ７１，７１を回転駆動することで液晶表示装置６０全体が後方向に移動し、左右の被ガイド部材７９，７９を同時に前方向に移動させるように駆動モータ７１，７１を回転駆動することで液晶表示装置６０全体が前方向に移動するようになっており、これらの前進および後退移動の動作を連続的に行うことで液晶表示装置６０全体を前後方向に往復移動させることができる。また、左右の被ガイド部材７９，７９のうち、一方の被ガイド部材７９のみを前後方向に移動させるように駆動モータ７１を回転駆動することにより、他方の被ガイド部材７９に嵌挿支持された上部ピン６７の中心軸を回転軸として液晶表示装置６０を回動させることができる。
【００３７】
このように液晶駆動機構７０を作動させ液晶表示装置６０を前後方向に移動させることができるため、液晶表示装置６０の画面６３に対しての奥行き感や突出感が向上し、立体感のあるインパクトの強い演出が可能になる。
【００３８】
なお、液晶駆動機構７０には液晶表示装置６０の前後移動における初期位置（前後移動の動作の起点となる前端位置）を検出するための、投光素子および受光素子からなるフォトセンサ１５５（図１６を参照）が配設されている。
【００３９】
引き続き、液晶表示装置の周囲に隣接して設けられる可動演出装置８０，９０，１００，１１０，１２０について、図１１〜図１３を追加参照して説明する。ここで、図１１は、第１可動演出装置８０の正面図、図１２は第２可動演出装置９０の正面図、図１３は第４および第５可動演出装置１１０，１２０の正面図である。
【００４０】
第１可動演出装置８０は、透明なプラスチック材料を用いて表面が凹凸した火炎形状や星形状等に形成された立体構造物８１と、立体構造物８１の底面部における左側端部から下方に突出して一体形成されたピン状の回転支軸８２と、回転支軸８２に嵌着固定された従動ギア８３と、従動ギア８３に噛合可能な駆動ギア８４が出力軸に嵌着固定された駆動源である駆動モータ８５とを備えて構成される。これにより、駆動モータ８５を回転駆動し駆動ギヤ８４を回動させて、これに噛み合わされた従動ギア８３が回転支軸８２とともに回動することにより、立体構造物８１を回転支軸８２を中心に回動させることができる。なお、駆動モータ８５は回動角度が制御可能なモータとして、例えばステッピングモータなどで構成される。
【００４１】
また、第１可動演出装置８０は、図８に示すように、それぞれ複数の発光ダイオード（ＬＥＤ）を実装した発光素子基板１５１ａ，１５１ｂ，１５１ｃからの光を立体構造物８１（透明プラスチック体）などを通して遊技盤１０の前面側へと照射するＬＥＤ照明部１５１を備えている。なお、立体構造物８１は、発光素子基板からの出射光を光拡散可能な透明なレンズ部材を用いて構成してもよい。
【００４２】
第２可動演出装置９０は、透明なプラスチック材料を用いて表面が凹凸した火炎形状や星形状等に形成された立体構造物９１と、立体構造物９１の底面部における左側端部から下方に突出して一体形成されたピン状の回転支軸９２と、回転支軸９２に嵌着固定された従動ギア９３と、従動ギア９３に噛合可能な駆動ギア９４が出力軸に嵌着固定された駆動源である駆動モータ９５とを備えて構成される。これにより、駆動モータ９５を回転駆動し駆動ギア９４を回動させて、これに噛み合わされた従動ギア９３が回転支軸９２とともに回動することにより、立体構造物９１を回転支軸９２を中心に回動させることができる。なお、駆動モータ９５は回動角度が制御可能なモータとして、例えばステッピングモータなどで構成される。
【００４３】
また、第２可動演出装置９０は、図８に示すように、それぞれ複数の発光ダイオード（ＬＥＤ）を実装した発光素子基板１５２ａ，１５２ｂからの光を立体構造物９１（透明プラスチック体）などを通して遊技盤１０の前面側へと照射するＬＥＤ照明部１５２を備えている。なお、立体構造物９１は、発光素子基板からの出射光を光拡散可能な透明なレンズ部材を用いて構成してもよい。
【００４４】
第３可動演出装置１００は、アクリル樹脂等の透明材料等を用いて略矩形板状に形成された立体構造物（電飾看板）１０１（図５を参照）と、上部フレーム５１Ｕの左右略中央に設けられ伸縮動自在なプランジャ１３２を有するソレノイド１３１（図６を参照）とを備え、後で詳述するが、ソレノイド１３１におけるプランジャ１３２を伸縮動させることによって立体構造物（電飾看板）１０１を上下方向に揺動（開口部５６へ進退動）可能に構成されている。なお、立体構造物（電飾看板）１０１は、その内部に複数の発光ダイオード（ＬＥＤ）を実装した発光素子基板（図示しない）を有しており、発光素子基板が発光状態となると発光素子基板からの出射光が遊技盤１０の前面側へと照射するようになっている。
【００４５】
第４可動演出装置１１０は、図１３に示すように、透明なプラスチック材料を用いて火炎形状に形成された立体構造物１１１と、正逆の両方向に回転駆動可能な駆動モータ１１３（図５を参照）と、基端部が駆動モータ１１３の出力軸１１４に嵌挿固定された細長い板状の回動アーム部材１１５とが、下部フレーム５１Ｌに左右一対にそれぞれ設けられることで構成されている。なお、第４可動演出装置１１０は、このようにほぼ左右対称に構成されているので、左側の構成についてのみ説明し、右側の構成についての説明は省略する（重複説明を省略する）。
【００４６】
立体構造物１１１は、前後方向に延びる水平支軸Ｐ２を介して下部フレーム５１Ｌの前面側に回動自在に支持されており、その下端部には回動アーム部材１１５との連結部である連結孔１１６が表裏貫通して正面視で略矩形状に形成されている。回動アーム部材１１５の先端部（基端部と反対側の端部）には、前方に突出した円筒状の係合ピン１１７が一体形成されており、この係合ピン１１７が立体構造物１１１の連結孔１１６に摺動自在に嵌挿され、立体構造物１１１と回動アーム部材１１５とが連結されている。
【００４７】
第４可動演出装置１１０では、駆動モータ１１３による回転駆動に連動して回動アーム部材１１５を回動させ、この回動アーム部材１１５の回動に伴って回動アーム部材１１５の係合ピン１１７が連通孔１１６に当接した状態で立体構造物１１１を上下方向に押動することにより、立体構造物１１１が水平支軸Ｐ２を中心にそれぞれ回動できるようになっている。なお、駆動モータ１１３は回動角度が制御可能なモータとして、例えばステッピングモータなどで構成される。
【００４８】
第５可動演出装置１２０は、透明なプラスチック材料を用いて星形状に形成された立体構造物１２１と、下部フレーム５１Ｌの左右略中央に設けられ伸縮動自在なプランジャ１４２を有するソレノイド１４１とを備え、後で詳述するが、ソレノイド１４１におけるプランジャ１４２を伸縮動させることによって立体構造物１２１を上下方向に揺動（開口部へ進退動）可能に構成されている。
【００４９】
このように構成される可動演出装置８０，９０，１００，１１０，１２０を液晶駆動機構７０による液晶表示装置６０の前後移動に連係して作動させることにより、液晶表示装置６０の画面６３に対しての奥行き感や突出感が向上し、より立体感のあるインパクトの強い演出が可能になる。また、液晶表示装置６０における画面表示や前後移動と、可動演出装置８０，９０，１００，１１０，１２０における立体構造物の進退動作とを融合させて、両者の遊技演出における一体感を向上させることが可能となるため、遊技に対する興趣性を向上させることができる。
【００５０】
さて、以上のように構成されるパチンコ機ＰＭは、遊技施設内の遊技島と呼ばれる区域に配置された状態で遊技者に利用されるが、パチンコ機ＰＭの一部を構成する液晶表示装置６０を前述のように液晶駆動機構７０の作動により前後方向に移動可能に構成すると、パチンコ機ＰＭを製造元の生産工場から遊技施設まで搬送する際や、パチンコ機ＰＭを遊技施設の遊技島に設置する際に、パチンコ機ＰＭの姿勢の変動等により液晶表示装置６０が自重等で前後に動いてしまうおそれがあり、液晶表示装置６０がガタツキによる衝撃等を受けて故障を引き起こしやすいという問題がある。
【００５１】
そこで、本実施形態におけるパチンコ機ＰＭのセンター飾り５０には、液晶駆動機構７０により前後移動可能に構成された液晶表示装置６０を所定の初期位置（前端位置）で係脱自在にロック保持する上下一対のロック機構１３０，１４０が備えられている。ここで、ロック機構の側面図を示す図１４および図１５を追加参照して、ロック機構１３０，１４０の構成について説明する。
【００５２】
上側のロック機構１３０は、図１４に示すように、上部フレーム５１Ｕの左右略中央に設けられ伸縮動自在なプランジャ１３２を有するソレノイド１３１と、プランジャ１３２の外周に巻回されプランジャ１３２を伸長方向に常時付勢するコイルバネ１３３と、プランジャ１３２の先端部に設けられ上下方向に延びるロックピン１３４と、液晶表示装置６０におけるケース部材６１の上端部にロックピン１３４を挿通可能な大きさに形成されたロック孔６９ａとを備えて構成される。ロックピン１３４とロック孔６９ａとは、液晶表示装置６０が所定の初期位置にあるときに、上下方向に対向位置するように配置されている。
【００５３】
このロック機構１３０では、ソレノイド１３１が通電されていないとき（例えば、パチンコ機ＰＭの電源がオフのとき）、図１４に示すように、コイルバネ１３４の付勢力によりプランジャ１３２が伸長動されることでロックピン１３４がケース部材６１のロック孔６９ａに挿通された位置（以降の説明では、この位置をロック位置と称する）に保持される。一方、ソレノイド１３１が通電されると（例えば、パチンコ機ＰＭの電源がオンされると）、図１５に示すように、プランジャ１３２がコイルバネ１３３の付勢力に抗して収縮動することでロックピン１３４がケース部材６１のロック孔６９ａから引く抜かれた位置（以降の説明では、この位置をロック解除位置と称する）に移動する。
【００５４】
また、下側のロック機構１４０は同様に、下部フレーム５１Ｌの左右略中央に設けられ伸縮動自在なプランジャ１４２を有するソレノイド１４１と、プランジャ１４２の外周に巻回されプランジャ１４２を伸長方向に常時付勢するコイルバネ１４３と、プランジャ１４２の先端部に設けられ上下方向に延びるロックピン１４４と、液晶表示装置６０におけるケース部材６１の下端部にロックピン１４４を挿通可能な大きさに形成されたロック孔６９ｂとを備えて構成される。ロックピン１４４とロック孔６９ｂとは、液晶表示装置６０が所定の初期位置にあるときに、上下方向に対向位置するように配置されている。
【００５５】
このロック機構１４０では、ソレノイド１４１が通電されていないとき（例えば、パチンコ機ＰＭの電源がオフのとき）、図１４に示すように、コイルバネ１４４の付勢力によりプランジャ１４２が伸長動されることでロックピン１４４がケース部材６１のロック孔６９ｂに挿通された位置（以降の説明では、この位置をロック位置と称する）に保持される。一方、ソレノイド１４１が通電されると（例えば、パチンコ機ＰＭの電源がオンされると）、図１５に示すように、プランジャ１４２がコイルバネ１４３の付勢力に抗して収縮動することでロックピン１４４がケース部材６１のロック孔６９ｂから引く抜かれた位置（以降の説明では、この位置をロック解除位置と称する）に移動する。
【００５６】
かかる構成において、液晶表示装置６０が所定の初期位置（前端位置）にある状態において、ソレノイド１３１，１４１を非通電とすると、コイルバネ１３３，１３４の付勢力を受けて上下のロックピン１３４，１４４がともにロック位置に移動することにより、液晶表示装置６０がこの初期位置でロック保持される。また、この状態からソレノイド１３１，１４１を通電すると、プランジャ１３２，１４２がコイルバネ１３３，１４３の付勢力に抗して収縮動し、上下のロックピン１３４，１４４がロック解除位置に移動することにより、液晶表示装置６０のロック保持が解除される。これにより、比較的簡単な構成で前後移動可能な液晶表示装置６０を係脱自在にロック保持することが可能となる。
【００５７】
また、前述の第３可動演出装置１００の立体構造物（電飾看板）１０１は、前後に延びる接続部１０２を介してロックピン１３４に取り付けられており、ソレノイド１３１の伸縮動に伴って上下方向に揺動可能に構成されている。同様に、第５可動演出装置１２０の立体構造物１２１は、前後方向に延びる接続部１２２を介してロックピン１４４に取り付けられており、ソレノイド１４１の伸縮動に伴って上下方向に揺動可能に構成されている。すなわち、液晶表示装置６０をロック保持するための上下のロック機構１３０，１４０は、第３可動演出装置１００における立体構造物（電飾看板）１０１、および第５可動演出装置１２０における立体構造物１２１を上下方向に揺動させるための駆動機構として機能する（遊技の演出にも供する）効果も有している。これにより、可動演出装置１００，１２０における駆動機構をフレーム本体５１に別途設ける必要がなくなるため、パチンコ機ＰＭにおける軽量化および省スペース化を図ることができる。
【００５８】
このように構成されるセンター飾り５０の作動は、主制御基板３７や、サブ制御基板３８等から構成される演出制御装置１６０により制御されており、この演出制御装置１６０の概要を示すブロック図を図１６に示す。演出制御装置１６０には、液晶表示装置６０、液晶駆動機構７０、第１可動演出装置８０、第２可動演出装置９０、上側のロック機構１３０（第３可動演出装置１００）、第４可動演出装置１１０、下側のロック機構１４０（第５可動演出装置１２０）などが電気的に接続されており、各種検出信号および制御信号の送受信が行われるようになっている。
【００５９】
演出制御装置１６０は、遊技の展開状態に基づいて変動表示する装飾図柄や、予め設定記憶された展開の映像等を液晶表示装置６０の画面６３に表示させる。またこのとき、演出制御装置１６０は、いわゆるリーチ状態等の所定の契機において、液晶駆動機構７０や可動演出装置８０，９０，１００，１１０，１２０の作動制御を行う。具体的には、演出制御装置１６０は、液晶駆動機構７０の駆動モータ７１，７１や、可動演出装置８０，９０，１１０の駆動モータ８５，９５，１１３，１１３などに作動信号を出力するとともに、可動演出装置１００，１２０（ロック機構１３０，１４０）のソレノイド１３１，１４１を通電状態／非通電状態に切り換えることにより、液晶表示装置６０の画面６３に表示された演出画像に関連させて、液晶表示装置６０を前後移動させるように液晶駆動機構７０の作動を制御したり、立体構造物を進退動作させるように可動演出装置８０，９０，１００，１１０，１２０の作動を制御する。
【００６０】
さらに、演出制御装置１６０は、パチンコ機ＰＭの電源投入によりロック機構１３０，１４０におけるソレノイド１３１，１４１を通電状態にする制御を行う。すなわち、ソレノイド１３１，１４１は、パチンコ機ＰＭの電源がオフされている間、および所定の演出動作として可動演出装置１００，１２０を作動させ立体構造物を退避動作させる（プランジャ１３２，１４２を収縮動させる）ときに限り非通電状態となる。これにより、パチンコ機ＰＭの電源遮断時にはソレノイド１３１，１４１が非通電状態となりロック機構１３０，１４０により液晶表示装置６０がロック保持される。一方、パチンコ機ＰＭの電源投入時にはソレノイド１３１，１４１が通電状態となりロック機構１３０，１４０による液晶表示装置６０のロック保持が解除される。
【００６１】
なお、この演出制御装置１６０には液晶駆動機構７０におけるフォトセンサ１５５からの検出信号が常時入力されており、液晶駆動機構７０による液晶表示装置６０の前後方向への往復移動（１サイクル）は、液晶表示装置６０が前後移動の動作の起点となる所定の初期位置（前端位置）に戻ったことをフォトセンサ１５５が検出することで完了するようになっている。このため、パチンコ機ＰＭの電源を遮断する状態のときには、通常、液晶表示装置６０はこの初期位置（前端位置）に位置する状態にあり、ロック機構１３０，１４０におけるロックピン１３４，１４４とロック孔６９ａ，６９ｂとが上下方向に対向位置するようになっているので、電源遮断によりコイルバネ１３３，１４３に付勢されたロックピン１３４，１４４がロック位置に移動してケース部材６１のロック孔６９ａ，６９ｂと確実に係合するようになっている。
【００６２】
以上ここまでは、本実施形態におけるパチンコ機ＰＭの構成について説明してきたが、以下において、本発明の特徴的構成であるロック機構１３０，１４０（および可動演出装置１００，１２０）の作動について、パチンコ機ＰＭの出荷から遊技施設への設置までを例に挙げて説明する。
【００６３】
まず、遊技機の生産工場においてパチンコ機ＰＭが組み立てられると、その出荷前にパチンコ機ＰＭの出荷検査が行われる。出荷検査ではパチンコ機ＰＭに実際に電源が投入され実機テスト等が実行される。実機テストにおいてはセンター飾り５０の遊技演出として、液晶表示装置６０の画面テストや、可動演出装置８０，９０，１００，１１０，１２０および液晶駆動機構７０に実機としての動作を行わせ、その動作が正しいか否かが検査される。
【００６４】
実機テスト等に合格して出荷検査が完了すると、それまで投入されていたパチンコ機ＰＭの電源が遮断され、この良品のパチンコ機ＰＭは梱包された後、遊技施設に出荷される。このとき、出荷に伴ってパチンコ機ＰＭの電源が遮断されると、演出制御装置１６０によりロック機構１３０，１４０のソレノイド１３１，１４１が非通電状態となり、ロックピン１３４，１４４がコイルバネ１３３，１４３の付勢力によりロック位置に移動して、液晶表示装置６０におけるケース部材６１のロック孔６９ａ，６９ｂと係合した状態で保持される。これにより、パチンコ機ＰＭの電源遮断に伴って液晶表示装置６０を初期位置（前端位置）でロック保持することができるため、パチンコ機ＰＭが出荷されその搬送中にパチンコ機ＰＭの姿勢が大きく変動するような場合があっても、液晶表示装置６０のガタツキが未然に防止されるので、液晶表示装置６０を損傷させることなくパチンコ機ＰＭを安全に搬送することが可能になる。
【００６５】
そして、パチンコ機ＰＭが遊技施設まで搬送されその遊技島に設置されると、パチンコ機ＰＭに電源が投入される。パチンコ機ＰＭに電源が投入されると、演出制御装置１６０によりロック機構１３０，１４０のソレノイド１３１，１４１が通電状態となり、プランジャ１３２，１４２がコイルスプリング１３３，１４３の付勢力に抗して収縮動することで、ロックピン１３４，１４４がロック解除位置に移動する。これにより、パチンコ機ＰＭの電源投入に伴って液晶表示装置６０のロック保持を解除することができるため、液晶表示装置６０を液晶駆動機構７０の作動により前後移動可能な状態にすることができる。
【００６６】
そして、遊技島に設置されたパチンコ機ＰＭは遊技者によるパチンコゲームに供される。このようなパチンコ機ＰＭにおいて、打球発射装置（図示しない）により打ち出された遊技球は、遊技盤１０における遊技領域ＰＡの左方に形成された発射通路を通過して遊技領域ＰＡ内（遊技領域ＰＡの上部）に導かれ、遊技球が遊技領域ＰＡを転がり落ちることによりパチンコゲームが展開される。
【００６７】
遊技領域ＰＡを転がり落ちる遊技球が始動入賞具１６に入賞（入球）する等して所定の抽選の結果、液晶表示装置６０の画面において、例えば、スロットマシンの図柄表示を模した３列の装飾図柄にうち２列の図柄が揃った、いわゆるリーチ状態に発展したような場合には、この液晶表示装置６０の画面６３に表示される演出画像に関連させて、演出制御装置１６０により、液晶駆動機構７０を作動させ液晶表示装置６０を前後移動させたり、可動演出装置８０，９０，１００，１１０，１２０を適時作動させる制御が行われる。このとき、可動演出装置１００，１２０では、演出制御装置１６０によりソレノイド１３１，１４１が通電状態／非通電状態に切り換えられてプランジャ１３２，１４２が伸縮動することで、立体構造物１０１，１２１が上下方向に揺動される（開口部５６に対して進退動される）。このように、液晶表示装置６０の画面表示や前後移動と、立体構造物１０１，１２１の進退動作とを融合させて、遊技演出における立体感や両者の一体感を向上させることで、遊技者の遊技意欲を喚起するような遊技演出を実現することができる。
【００６８】
以上のように構成されるパチンコ機ＰＭにおいては、前後移動可能に構成される液晶表示装置６０を、ソレノイド１３１，１４１の非通電状態では初期位置でロック保持し、通電状態ではかかるロック保持を解除することで、比較的簡単な構成により液晶表示装置６０を係脱自在にロック保持して、液晶表示装置６０のガタツキを防止することができる。したがって、パチンコ機ＰＭが生産工場から遊技施設にまで搬送されて遊技島に設置されるまでのパチンコ機ＰＭの電源が遮断されている間は、ソレノイド１３１，１４１が非通電状態にあり、ロック機構１３０，１４０により液晶表示装置６０がロック保持されるため、搬送などの際にパチンコ機ＰＭの姿勢が大きく変動するようなことがあっても、液晶表示装置６０が自重等で大きく動いてしまうことがなく、液晶表示装置６０がガタツキによる衝撃を受けて損傷を受けるような事態が防止される。一方、パチンコ機ＰＭが遊技島に設置され電源が投入されることで遊技者によるパチンコゲームに供されているときには、ソレノイド１３１，１４１が通電状態にあり、ロック機構１３０，１４０による液晶表示装置６０のロック保持が解除されるため、液晶表示装置６０を液晶駆動機構７０の作動により前後移動可能な状態にすることができ、所望の遊技演出を行うことが可能になる。
【００６９】
また、ソレノイド１３１，１４１を通電状態／非通電状態に切り換えることにより、プランジャ１３２，１４２を伸縮動させて、ロックピン１３４，１４４をロック位置とロック解除位置との間を移動させることで、これに接続された遊技演出用の立体構造物１０１，１２１を上下に揺動（開口部５６に進退動）させることが可能となる。これにより、液晶表示装置６０をロック保持するための上下のロック機構１３０，１４０が、可動動演出装置１００，１２０における立体構造物１０１，１２１を上下方向に揺動させるための駆動機構として機能する（遊技演出にも供する）効果も有することで、可動演出装置１００，１２０における駆動機構をフレーム本体５１に別途設ける必要がなくなり、パチンコ機ＰＭにおける軽量化および省スペース化を図ることができる。
【００７０】
なお、上述の実施形態において、液晶表示装置６０がロック機構１３０，１４０によって上下の各中央部２箇所でロック保持される構成を例示したが、これに限定されるものではなく、ロック保持の位置は上下の両端部や左右の各中央部などであってもよく、また、ロック機構をさらに複数設けて構成してもよい。また、ロック機構１３０，１４０の駆動源であるアクチュエータ（ソレノイド）を、例えば、自己保持型のソレノイド（ラッチング式ソレノイド等）により構成してもよい。さらに、ロック機構にアクチュエータの駆動力をロックピンに伝達するリンク機構などを更に備えて構成してもよい。
【００７１】
また、上述の実施形態において、遊技球を用いたパチンコ機ＰＭで構成した例について説明したが、これに限定されるものではなく、前後移動可能に構成される画像表示装置を備えていれば、遊技メダル等の遊技媒体を用いた遊技機においても、本発明を適用することができる。
【図面の簡単な説明】
【００７２】
【図１】本発明を適用した遊技機の代表例として示すパチンコ機の正面図である。
【図２】上記パチンコ機の背面図である。
【図３】上記パチンコ機に装着される遊技盤の正面図である。
【図４】遊技盤の分解斜視図である。
【図５】センター飾りの斜視図である。
【図６】センター飾りの背面図である。
【図７】液晶表示装置の斜視図である。
【図８】液晶表示装置を装着前のセンター飾りの斜視図である。
【図９】センター飾りにおける上部フレーム側の斜視図である。
【図１０】図９中における矢視Ｄから見た底面図である。
【図１１】第１可動演出装置の正面図である。
【図１２】第２可動演出装置の正面図である。
【図１３】第４および第５可動演出装置の正面図である。
【図１４】ロック機構の側面図であり、ロックピンがロック位置に移動した状態を示す。
【図１５】ロック機構の側面図であり、ロックピンがロック解除位置に移動した状態を示す。
【図１６】演出制御装置の概要を示すブロック図である。
【符号の説明】
【００７３】
ＰＭ  パチンコ機（遊技機）
５０  センター飾り（ベース部材）
５６  開口部
６０  液晶表示装置（画像表示装置）
６３  画面
７０  液晶駆動機構（移動装置）
１０１  立体構造物（可動部材）
１２１  立体構造物（可動部材）
１３０  ロック機構
１３１  ソレノイド（アクチュエータ）
１３４  ロックピン（ロック部材）
１４０  ロック機構
１４１  ソレノイド（アクチュエータ）
１４４  ロックピン（ロック部材）
【図１】
2010099298.tif 000003
【図２】
2010099298.tif 000004
【図３】
2010099298.tif 000005
【図４】
2010099298.tif 000006
【図５】
2010099298.tif 000007
【図６】
2010099298.tif 000008
【図７】
2010099298.tif 000009
【図８】
2010099298.tif 000010
【図９】
2010099298.tif 000011
【図１０】
2010099298.tif 000012
【図１１】
2010099298.tif 000013
【図１２】
2010099298.tif 000014
【図１３】
2010099298.tif 000015
【図１４】
2010099298.tif 000016
【図１５】
2010099298.tif 000017
【図１６】
2010099298.tif 000018